(57)【要約】【課題】  遠心ファンを有し、騒音の小さい送風機の提供。【解決手段】  送風機はケーシングを備え、ケーシングによって遠心ファン３０を収容するためのファン収容空間と、電動機収容空間とが画成されている。ファン収容空間と電動機収容空間とは隔壁１０Ｃによって仕切られており、隔壁１０Ｃには隔壁貫通孔１０ｃが形成されている。遠心ファン３０を構成する基板部３１には基板部貫通孔３１ａが形成されている。隔壁貫通孔１０ｃは、遠心ファン３０の基板部３１の周方向における隔壁貫通孔１０ｃの周方向長が、電動機収容空間１０ｂに開口する開口端１０ｅから隔壁貫通孔１０ｃのファン収容空間１０ａに開口する開口端１０ｆに至るまで、電動機収容空間１０ｂからファン収容空間１０ａへ向かうにつれて徐々に大きくなる周方向長増加部を有する。【選択図】図７
2005220751.tif 000002
【特許請求の範囲】
【請求項１】
電動機と、
基板部と、該基板部の一方の面から延出する複数の羽根部とを有し、該電動機により回転運動する遠心ファンと、
吸込み口と吹出し口とを有し、該遠心ファンを収容するためのファン収容空間と該電動機を収容するための電動機収容空間とが形成されたケーシングとを備え、該遠心ファンの回転運動によって該吸込み口から吸込まれた気体を該吹出し口から吹出す送風機であって、
該基板部には、該基板部の他方の面側から該一方の面側へと気体を流すための複数の基板部貫通孔が、該基板部の略周方向に沿って形成され、
該ファン収容空間を画成する該ケーシングの一部は、該遠心ファンの該基板部の該他方の面に近接対向し、該ファン収容空間と該電動機収容空間とを仕切る隔壁をなし、
該ケーシングの該隔壁の一部であって該基板部貫通孔に対向可能な位置には、該電動機収容空間から該ファン収容空間内へ向けて気体を流すための該電動機収容空間と該ファン収容空間とを連通する複数の隔壁貫通孔が、該遠心ファンの該基板部の回転軸を中心とする略周方向に沿って形成される送風機において、
少なくとも１つの該隔壁貫通孔は、周方向長が該電動機収容空間から該ファン収容空間へ向かうにつれて大きくなる周方向長増加部を有していることを特徴とする送風機。
【請求項２】
該周方向長増加部は、該隔壁貫通孔の該ファン収容空間に開口する開口端から該電動機収容空間に開口する開口端に至るまでの該隔壁貫通孔全体に渡り形成されていることを特徴とする請求項１記載の送風機。
【請求項３】
該周方向長増加部においては、該隔壁貫通孔の該周方向長を規定する一対の対向部が、該電動機収容空間から該ファン収容空間へ向かう方向において連続した直線状をなすことを特徴とする請求項２記載の送風機。
【請求項４】
該遠心ファンの該基板部の該他方の面と該隔壁との間の距離をｈとし、
隣合う該隔壁貫通孔は隔壁貫通孔仕切部によって仕切られ、該隔壁貫通孔仕切部は第１部分と第２部分とを有し、該第１部分は該隣合う隔壁貫通孔の一方における該一対の対向部の一方をなし、該第２部分は該隣合う隔壁貫通孔の他方における該一対の対向部の他方をなし、第１部分と第２部分とがそれぞれ略同一の角度で該遠心ファンの該基板部の該他方の面に対向する該隔壁の面と交差し、該第１部と該第２部とのなす角をβとし、
該遠心ファンの該基板部の該他方の面に対向する該隔壁の面と第１部分との交差位置と、該遠心ファンの該基板部の該他方の面に対向する該隔壁の面と第２部分との交差位置との間の距離をｅとしたときに、
ｈ＞（ｅ／２）／ｔａｎ（β／２）
であることを特徴とする請求項３記載の送風機。
【請求項５】
該周方向長増加部は、該隔壁貫通孔の該ファン収容空間に開口する側に形成され、該周方向長増加部以外の該電動機収容空間に開口する側の該隔壁貫通孔の部分は、該隔壁貫通孔の該周方向長が略一定の周方向長一定部をなすことを特徴とする請求項１記載の送風機。
【請求項６】
該周方向長増加部においては、該隔壁貫通孔の該周方向長を規定する一対の対向部が、該電動機収容空間から該ファン収容空間へ向かう方向において連続した直線状をなすことを特徴とする請求項５記載の送風機。
【請求項７】
該遠心ファンの該基板部の該他方の面と該隔壁との間の距離をｈとし、
隣合う該隔壁貫通孔は隔壁貫通孔仕切部によって仕切られ、該隔壁貫通孔仕切部は第１部分と第２部分とを有し、該第１部分は該隣合う隔壁貫通孔の一方における該一対の対向部の一方をなし、該第２部分は該隣合う隔壁貫通孔の他方における該一対の対向部の他方をなし、第１部分と第２部分とがそれぞれ略同一の角度で該遠心ファンの該基板部の該他方の面に対向する該隔壁の面と交差し、該第１部と該第２部とのなす角をβとし、
該遠心ファンの該基板部の該他方の面に対向する該隔壁の面と第１部分との交差位置と、該遠心ファンの該基板部の該他方の面に対向する該隔壁の面と第２部分との交差位置との間の距離をｅとしたときに、
ｈ＞（ｅ／２）／ｔａｎ（β／２）
であることを特徴とする請求項６記載の送風機。
【請求項８】
該周方向長一定部において該隔壁貫通孔の該周方向長を規定する一対の対向部と、該周方向長増加部において該隔壁貫通孔の該周方向長を規定する該一対の対向部とは、それぞれ所定の値の半径を有する円弧の一部によりなめらかに接続されていることを特徴とする請求項６記載の送風機。
【請求項９】
電動機と、
基板部と、該基板部の一方の面から延出する複数の羽根部とを有し、該電動機により回転運動する遠心ファンと、
吸込み口と吹出し口とを有し、該遠心ファンを収容するためのファン収容空間と該電動機を収容するための電動機収容空間とが形成されたケーシングとを備え、該遠心ファンの回転運動によって該吸込み口から吸込まれた気体を該吹出し口から吹出す送風機であって、
該基板部には、該基板部の他方の面側から該一方の面側へと気体を流すための複数の基板部貫通孔が、該基板部の略周方向に沿って形成され、
該ファン収容空間を画成する該ケーシングの一部は、該遠心ファンの該基板部の該他方の面に近接対向し、該ファン収容空間と該電動機収容空間とを仕切る隔壁をなし、
該ケーシングの該隔壁の一部であって該基板部貫通孔に対向可能な位置には、該電動機収容空間から該ファン収容空間内へ向けて気体を流すための該電動機収容空間と該ファン収容空間とを連通する複数の隔壁貫通孔が、該遠心ファンの該基板部の回転軸を中心とする周方向に沿って形成され、隣合う該隔壁貫通孔は隔壁貫通孔仕切部によって仕切られる送風機において、
該基板部の該他方の面上における該基板部貫通孔の該周方向の長さをａとし、
該隔壁貫通孔仕切部は第１部分と第２部分とを有し、該第１部分は該隣合う隔壁貫通孔の一方において該周方向長を規定する一対の対向部の一方をなし、該第２部分は該隣合う隔壁貫通孔の他方における該一対の対向部の他方をなし、該遠心ファンの該基板部の該他方の面に対向する該隔壁の面と該第１部分との交差位置と、該遠心ファンの該基板部の該他方の面に対向する該隔壁の面と該第２部分との交差位置との距離をｂとしたときに、
ａ＞ｂ
であることを特徴とする送風機。
【請求項１０】
該遠心ファンの該基板部の該他方の面に対向する該隔壁の面上における該隔壁貫通孔の該周方向における長さをｃとしたときに、
ｃ＞ａ
であることを特徴とする請求項９記載の送風機。
【発明の詳細な説明】
【技術分野】
【０００１】
本発明は送風機に関し、特に、電動機により回転運動する遠心ファンを備え、遠心ファンの回転運動により空気を吹出して粉塵等を吹き飛ばし、又は空気を吸込んで集塵作業等を行い、これの作業と同時に電動機の冷却を行う携帯用ブロワ、集塵機等の送風機に関する。
【背景技術】
【０００２】
送風機としては、吸込み口及び吹出し口を有するケーシング内に形成されたファン収容空間内に、いわゆる羽根車からなる遠心ファンを設け、遠心ファンの回転運動によって吸込み口から吸込まれた空気を吹出し口から吹出す構成のものが知られている。送風機は、塵芥、落葉や木片等を吹き飛ばす吹出し作業や、塵芥、小さな木片等を集める吸込み作業に用いられる。吹出し作業時には、送風機のケーシングの吹出し口にはノズルが取り付けられ、吸込み口には何も取り付けられない。一方、吸込み作業時には、吹出し口には集塵袋が取り付けられ、吸込み口にはノズルもしくはホースが取り付けられて使用される。
【０００３】
より具体的には、送風機のケーシングは分割可能な複数のセグメントからなり、そのうちの互いに対向する第１のセグメント１１０Ａ（図１４）と図示せぬ第２のセグメントとによって、図１５に示されるような遠心ファン１３０が収容されるファン収容空間１１０ａが、ケーシング１１０内部に形成される。遠心ファン１３０は、基板部１３１と、基板部１３１の一方の面１３１Ａから延出する複数の渦巻き状の羽根部１３２とを有しており、図１４に示されるように、第１のセグメント１１０Ａの一部を構成しファン収容空間１１０ａを画成する円形状の隔壁１１０Ｃに、基板部１３１の一方の面１３１Ａに対する他方の面１３１Ｂが近接対向して、ファン収容空間１１０ａ内に収容される。
【０００４】
第１のセグメント１１０Ａの隔壁１１０Ｃの中心の位置には、遠心ファン１３０及び図示せぬ図示せぬ電動機の回転子を回転自在に支持する図示せぬベアリングを保持するためのベアリングホルダ１１０Ｄが設けられている。また、第１のセグメント１１０Ａと図示せぬ第２セグメントとにより構成されるケーシング１１０の、円形状をした隔壁１１０Ｃの接線方向には、吹出し口１１２が形成されている。
【０００５】
図１４に示される第１のセグメント１１０Ａに対向する位置であって図１４の紙面の手前側の位置には、図示せぬ第２のセグメントが第１のセグメント１１０Ａに対向配置され、第１のセグメント１１０Ａと図示せぬ第２のセグメントとは、分割面１１０Ｅにおいて互いに当接し接続されている。第１のセグメント１１０Ａと図示せぬ第２のセグメントとが分割面１１０Ｅにおいて互いに当接し接続されることによって、１つのファン収容空間１１０ａが画成される。図示せぬ第２のセグメントには、ケーシング１１０外部からファン収容空間１１０ａ内に空気を吸込むための図示せぬ吸込み口が形成されている。
【０００６】
図示せぬ吸込み口は、付属品のノズル等を着脱可能なように図示せぬ第２のセグメントから図１４の紙面の手方向へ筒状に突出して設けられている。図１４に示される第１のセグメント１１０Ａの、隔壁１１０Ｃをはさんでファン収容空間１１０ａの側とは反対の側、即ち、図１４の紙面の奥側には、図示せぬ電動機収容空間が形成されている。図示せぬ電動機収容空間には、遠心ファン１３０を回転運動させる図示せぬ電動機が収容されている。第１のセグメント１１０Ａの隔壁１１０Ｃの部分であってベアリングホルダ１１０Ｄ外周には、円形をした隔壁１１０Ｃの軸心を中心とする周方向に沿って、隔壁貫通孔１１０ｃが形成されている。隔壁貫通孔１１０ｃは、図示せぬ電動機収容空間とファン収容空間１１０ａとを連通する。
【０００７】
送風機においては、主として空気は遠心ファン１３０の回転運動による遠心力によって吸込み口より流込み、ファン１３０の軸方向であって図１５の上方から下方へ向かって流れ、遠心ファン１３０の複数の羽根部１３２の間に入り、遠心ファン１３０内部で向きを略９０度変えて遠心ファン１３０の半径方向へ流れ、ケーシング１１０をなす第１のセグメント１１０Ａと図示せぬ第２のセグメントとによって構成され遠心ファン１３０の半径方向外方に位置する図示せぬ周壁１１０Ｌ（図１４）の内側に沿って流れ、最終的に吹出し口１１２より流れ出る。
【０００８】
この流れとは別に、図示せぬ電動機を冷却するための流路が確保されている。この流路において空気は、吸込み口からではなく、ケーシング１１０に形成された図示せぬ貫通孔であってケーシング１１０外部と図示せぬ電動機収容空間内部とを連通する図示せぬ貫通孔を通って、ケーシング１１０外部より図示せぬ電動機収容空間内へ流入し、図示せぬ電動機を冷却した後、ケーシング１１０の隔壁１１０Ｃに形成された隔壁貫通孔１１０ｃを通過し、遠心ファン１３０の基板部１３１に形成された基板部貫通孔１３１ａを通過して遠心ファン１３０内部に入り、ファン１３０内部で向きを略９０度変えて遠心ファン１３０の半径方向へ流れ、遠心ファン１３０の半径方向外方に位置する周壁１１０Ｌの内側に沿って流れ、吹出し口１１２より流れ出る。特開２００２−３３９８９８号公報には、この構成の送風機が記載されている。
【特許文献１】特開２００２−３３９８９８号公報（３頁〜４頁、図１、図２、図８）
【発明の開示】
【発明が解決しようとする課題】
【０００９】
遠心ファン１３０の基板部１３１とケーシング１１０の隔壁１１０Ｃとは近接対向しているため、基板部貫通孔１３１ａに流入する空気量は時々刻々大きく変動する。具体的には、一の基板部貫通孔１３１ａに着目すると、図１６に示される状態のときには、基板部１３１の軸方向、即ち、図１６の上下方向において、遠心ファン１３０の基板部１３１の他方の面１３１Ｂにおける基板部貫通孔１３１ａの開口部の全体は、遠心ファン１３０の基板部１３１の他方の面１３１Ｂに対向する隔壁１１０Ｃの面（以下「遠心ファン対向面１１０Ｋ」とする）における隔壁貫通孔１１０ｃの開口部と対向しておらず、隔壁貫通孔１１０ｃから流出した空気はほとんど基板部貫通孔１３１ａに流入していない。
【００１０】
遠心ファン１３０が回転して、図１７に示される状態となると、基板部１３１の軸方向、即ち、図１７の上下方向において、遠心ファン１３０の基板部１３１の他方の面１３１Ｂにおける他の基板部貫通孔１３１ａの開口部の一部は、遠心ファン対向面１１０Ｋにおける隔壁貫通孔１１０ｃの開口部と対向し、隔壁貫通孔１１０ｃから流出した空気の一部は図１９の矢印Ｂ′で示されるように渦を発生させ、また、矢印Ｂ″で示されるように基板部貫通孔１３１ａに流入する。
【００１１】
更に遠心ファン１３０が回転して、図１８に示される状態となると、基板部１３１の軸方向、即ち、図１８の上下方向において、遠心ファン１３０の基板部１３１の他方の面１３１Ｂにおける基板部貫通孔１３１ａの開口部全体は、遠心ファン対向面１１０Ｋにおける隔壁貫通孔１１０ｃの開口部に対向しているため、隔壁貫通孔１１０ｃから流出した空気は、矢印Ｂ″で示されるように、基板部貫通孔１３１ａに向けてスムーズに流れる。
【００１２】
更に遠心ファン１３０が回転して図１９に示される状態となると、基板部１３１の軸方向、即ち、図１９の上下方向において、遠心ファン１３０の基板部１３１の他方の面１３１Ｂにおける基板部貫通孔１３１ａの開口部の一部は、遠心ファン対向面１１０Ｋにおける隔壁貫通孔１１０ｃの開口部と対向しなくなり、隔壁貫通孔１１０ｃから流出した空気の一部は図１７の矢印Ｂ′で示されるように渦を発生させ、矢印Ｂ″で示される基板部貫通孔１３１ａに流入する空気の量が減少する。
【００１３】
以上の状態を繰り返すことにより、基板部貫通孔１３１ａ等において急激な圧力変動が生じ、大きな騒音が発生していた。また、図１７、図１９に示されるように、隔壁貫通孔１１０ｃの近傍で渦が発生することによっても騒音が発生していた。そして、これらの騒音は、遠心ファン１３０の回転数成分音となるために耳障りな音となり、更に、遠心ファン１３０を収納する遠心ファン収容空間１１０ａにおいて共鳴し、余計に騒音が大きくなるという問題も生じていた。
【００１４】
そこで、本発明は、遠心ファンを有し、騒音の小さい送風機を提供することを目的とする。
【課題を解決するための手段】
【００１５】
上記目的を達成するために、本発明は、電動機と、基板部と、該基板部の一方の面から延出する複数の羽根部とを有し、該電動機により回転運動する遠心ファンと、吸込み口と吹出し口とを有し、該遠心ファンを収容するためのファン収容空間と該電動機を収容するための電動機収容空間とが形成されたケーシングとを備え、該遠心ファンの回転運動によって該吸込み口から吸込まれた気体を該吹出し口から吹出す送風機であって、該基板部には、該基板部の他方の面側から該一方の面側へと気体を流すための複数の基板部貫通孔が、該基板部の略周方向に沿って形成され、該ファン収容空間を画成する該ケーシングの一部は、該遠心ファンの該基板部の該他方の面に近接対向し、該ファン収容空間と該電動機収容空間とを仕切る隔壁をなし、該ケーシングの該隔壁の一部であって該基板部貫通孔に対向可能な位置には、該電動機収容空間から該ファン収容空間内へ向けて気体を流すための該電動機収容空間と該ファン収容空間とを連通する複数の隔壁貫通孔が、該遠心ファンの該基板部の回転軸を中心とする略周方向に沿って形成される送風機において、少なくとも１つの該隔壁貫通孔は、周方向長が該電動機収容空間から該ファン収容空間へ向かうにつれて大きくなる周方向長増加部を有する送風機を提供している。
【００１６】
ここで、該周方向長増加部は、該隔壁貫通孔の該ファン収容空間に開口する開口端から該電動機収容空間に開口する開口端に至るまでの該隔壁貫通孔全体に渡り形成されていることが好ましい。
【００１７】
更に、該周方向長増加部においては、該隔壁貫通孔の該周方向長を規定する一対の対向部が、該電動機収容空間から該ファン収容空間へ向かう方向において連続した直線状をなすことが好ましい。
【００１８】
更に、該遠心ファンの該基板部の該他方の面と該隔壁との間の距離をｈとし、隣合う該隔壁貫通孔は隔壁貫通孔仕切部によって仕切られ、該隔壁貫通孔仕切部は第１部分と第２部分とを有し、該第１部分は該隣合う隔壁貫通孔の一方における該一対の対向部の一方をなし、該第２部分は該隣合う隔壁貫通孔の他方における該一対の対向部の他方をなし、第１部分と第２部分とがそれぞれ略同一の角度で該遠心ファンの該基板部の該他方の面に対向する該隔壁の面と交差し、該第１部と該第２部とのなす角をβとし、該遠心ファンの該基板部の該他方の面に対向する該隔壁の面と第１部分との交差位置と、該遠心ファンの該基板部の該他方の面に対向する該隔壁の面と第２部分との交差位置との間の距離をｅとしたときに、ｈ＞（ｅ／２）／ｔａｎ（β／２）であることが好ましい。
【００１９】
または、該周方向長増加部は、該隔壁貫通孔の該ファン収容空間に開口する側に形成され、該周方向長増加部以外の該電動機収容空間に開口する側の該隔壁貫通孔の部分は、該隔壁貫通孔の該周方向長が略一定の周方向長一定部をなすことが好ましい。
【００２０】
更に、該周方向長増加部においては、該隔壁貫通孔の該周方向長を規定する一対の対向部が、該電動機収容空間から該ファン収容空間へ向かう方向において連続した直線状をなすことが好ましい。
【００２１】
更に、該遠心ファンの該基板部の該他方の面と該隔壁との間の距離をｈとし、隣合う該隔壁貫通孔は隔壁貫通孔仕切部によって仕切られ、該隔壁貫通孔仕切部は第１部分と第２部分とを有し、該第１部分は該隣合う隔壁貫通孔の一方における該一対の対向部の一方をなし、該第２部分は該隣合う隔壁貫通孔の他方における該一対の対向部の他方をなし、第１部分と第２部分とがそれぞれ略同一の角度で該遠心ファンの該基板部の該他方の面に対向する該隔壁の面と交差し、該第１部と該第２部とのなす角をβとし、該遠心ファンの該基板部の該他方の面に対向する該隔壁の面と第１部分との交差位置と、該遠心ファンの該基板部の該他方の面に対向する該隔壁の面と第２部分との交差位置との間の距離をｅとしたときに、ｈ＞（ｅ／２）／ｔａｎ（β／２）であることが好ましい。
【００２２】
更に、該周方向長一定部において該隔壁貫通孔の該周方向長を規定する一対の対向部と、該周方向長増加部において該隔壁貫通孔の該周方向長を規定する該一対の対向部とは、それぞれ所定の値の半径を有する円弧の一部によりなめらかに接続されていることが好ましい。
【００２３】
また、本発明は、電動機と、基板部と、該基板部の一方の面から延出する複数の羽根部とを有し、該電動機により回転運動する遠心ファンと、吸込み口と吹出し口とを有し、該遠心ファンを収容するためのファン収容空間と該電動機を収容するための電動機収容空間とが形成されたケーシングとを備え、該遠心ファンの回転運動によって該吸込み口から吸込まれた気体を該吹出し口から吹出す送風機であって、該基板部には、該基板部の他方の面側から該一方の面側へと気体を流すための複数の基板部貫通孔が、該基板部の略周方向に沿って形成され、該ファン収容空間を画成する該ケーシングの一部は、該遠心ファンの該基板部の該他方の面に近接対向し、該ファン収容空間と該電動機収容空間とを仕切る隔壁をなし、該ケーシングの該隔壁の一部であって該基板部貫通孔に対向可能な位置には、該電動機収容空間から該ファン収容空間内へ向けて気体を流すための該電動機収容空間と該ファン収容空間とを連通する複数の隔壁貫通孔が、該遠心ファンの該基板部の回転軸を中心とする周方向に沿って形成され、隣合う該隔壁貫通孔は隔壁貫通孔仕切部によって仕切られる送風機において、該基板部の該他方の面上における該基板部貫通孔の該周方向の長さをａとし、該隔壁貫通孔仕切部は第１部分と第２部分とを有し、該第１部分は該隣合う隔壁貫通孔の一方において該周方向長を規定する一対の対向部の一方をなし、該第２部分は該隣合う隔壁貫通孔の他方における該一対の対向部の他方をなし、該遠心ファンの該基板部の該他方の面に対向する該隔壁の面と該第１部分との交差位置と、該遠心ファンの該基板部の該他方の面に対向する該隔壁の面と該第２部分との交差位置との距離をｂとしたときに、ａ＞ｂである送風機を提供している。
【００２４】
ここで、該遠心ファンの該基板部の該他方の面に対向する該隔壁の面上における該隔壁貫通孔の該周方向における長さをｃとしたときに、ｃ＞ａであることが好ましい。
【発明の効果】
【００２５】
本発明の請求項１記載の送風機によれば、各隔壁貫通孔は、周方向長が電動機収容空間からファン収容空間へ向かうにつれて大きくなる周方向長増加部を有しているため、隔壁貫通孔と基板部貫通孔との間の位置における気体の急激な圧力変動を抑制することができ、圧力変動を緩やかにすることができる。また、隔壁貫通孔から流出した気体の一部による、隔壁貫通孔の近傍の位置における渦を発生しにくくすることができる。このため、騒音の発生を抑制することができる。
【００２６】
本発明の請求項２記載の送風機によれば、周方向長増加部は、隔壁貫通孔のファン収容空間に開口する開口端から電動機収容空間に開口する開口端に至るまでの隔壁貫通孔全体に渡り形成されているため、隔壁貫通孔と基板部貫通孔との間の位置における気体の圧力変動をより緩やかにすることができる。また、隔壁貫通孔から流出した気体の一部による、隔壁貫通孔の近傍の位置における渦の発生を、効果的に抑えることができる。
【００２７】
本発明の請求項３記載の送風機によれば、周方向長増加部においては、隔壁貫通孔の周方向長を規定する一対の対向部が、電動機収容空間からファン収容空間へ向かう方向において連続した直線状をなしているため、隔壁貫通孔と基板部貫通孔との間の位置における気体の圧力変動をより緩やかにすることができる。また、隔壁貫通孔から流出した気体の一部による、隔壁貫通孔の近傍の位置における渦の発生を、効果的に抑えることができる。
【００２８】
本発明の請求項４記載の送風機によれば、遠心ファンの基板部の他方の面と隔壁との間の距離をｈとし、隣合う隔壁貫通孔は隔壁貫通孔仕切部によって仕切られ、隔壁貫通孔仕切部は第１部分と第２部分とを有し、第１部分は隣合う隔壁貫通孔の一方における一対の対向部の一方をなし、第２部分は隣合う隔壁貫通孔の他方における一対の対向部の他方をなし、第１部分と第２部分とがそれぞれ略同一の角度で遠心ファンの基板部の他方の面に対向する隔壁の面と交差し、第１部分と第２部とのなす角をβとし、遠心ファンの基板部の他方の面に対向する隔壁の面と第１部分との交差位置と、遠心ファンの基板部の他方の面に対向する隔壁の面と第２部分との交差位置との間の距離をｅとしたときに、ｈ＞（ｅ／２）／ｔａｎ（β／２）であるため、隔壁貫通孔と基板部貫通孔との間の位置における気体の圧力変動をより緩やかにすることができる。また、隔壁貫通孔から流出した気体の一部による、隔壁貫通孔の近傍の位置における渦の発生を、効果的に抑えることができる。
【００２９】
本発明の請求項５記載の送風機によれば、周方向長増加部は、隔壁貫通孔のファン収容空間に開口する側に形成され、周方向長増加部以外の電動機収容空間に開口する側の隔壁貫通孔の部分は、隔壁貫通孔の周方向長が略一定の周方向長一定部をなしているため、従来の隔壁貫通孔の形状の一部を修正することで簡単に騒音の発生を抑制することができる送風機を製造することができる。
【００３０】
本発明の請求項６記載の送風機によれば、周方向長増加部においては、隔壁貫通孔の周方向長を規定する一対の対向部が、電動機収容空間からファン収容空間へ向かう方向において連続した直線状をなしているため、隔壁貫通孔と基板部貫通孔との間の位置における気体の圧力変動をより緩やかにすることができる。また、隔壁貫通孔から流出した気体の一部による、隔壁貫通孔の近傍の位置における渦の発生を、効果的に抑えることができる。
【００３１】
本発明の請求項７記載の送風機によれば、遠心ファンの基板部の他方の面と隔壁との間の距離をｈとし、隣合う隔壁貫通孔は隔壁貫通孔仕切部によって仕切られ、隔壁貫通孔仕切部は第１部分と第２部分とを有し、第１部分は隣合う隔壁貫通孔の一方における一対の対向部の一方をなし、第２部分は隣合う隔壁貫通孔の他方における一対の対向部の他方をなし、第１部分と第２部分とがそれぞれ略同一の角度で遠心ファンの基板部の他方の面に対向する隔壁の面と交差し、第１部分と第２部とのなす角をβとし、遠心ファンの基板部の他方の面に対向する隔壁の面と第１部分との交差位置と、遠心ファンの基板部の他方の面に対向する隔壁の面と第２部分との交差位置との間の距離をｅとしたときに、ｈ＞（ｅ／２）／ｔａｎ（β／２）であるため、隔壁貫通孔と基板部貫通孔との間の位置における気体の圧力変動をより緩やかにすることができる。また、隔壁貫通孔から流出した気体の一部による、隔壁貫通孔の近傍の位置における渦の発生を、効果的に抑えることができる。
【００３２】
本発明の請求項８記載の送風機によれば、周方向長一定部において隔壁貫通孔の周方向長を規定する一対の対向部と、周方向長増加部において隔壁貫通孔の周方向長を規定する一対の対向部とは、それぞれ所定の値の半径を有する円弧の一部によりなめらかに接続されているため、周方向長一定部と周方向長増加部との接続位置において気体をなめらかに流すことができる。
【００３３】
本発明の請求項９記載の送風機によれば、基板部の他方の面上における基板部貫通孔の周方向の長さをａとし、隔壁貫通孔仕切部は第１部分と第２部分とを有し、第１部分は隣合う隔壁貫通孔の一方において周方向長を規定する一対の対向部の一方をなし、第２部分は隣合う隔壁貫通孔の他方における一対の対向部の他方をなし、遠心ファンの基板部の他方の面に対向する隔壁の面と第１部分との交差位置と、遠心ファンの基板部の他方の面に対向する隔壁の面と第２部分との交差位置との距離をｂとしたときに、ａ＞ｂであるため、遠心ファンの一の基板部貫通孔に着目したときに、一の基板部貫通孔に常にいずれかの隔壁貫通孔から空気が流れ込むようにすることができ、隔壁貫通孔から流込む風量の変化による圧力変動を緩やかにすることができ、隔壁と基板部との間で生ずる騒音を小さくすることができる。
【００３４】
本発明の請求項１０記載の送風機によれば、遠心ファンの基板部の他方の面に対向する隔壁の面上における隔壁貫通孔の周方向における長さをｃとしたときに、ｃ＞ａであるため、遠心ファンの一の基板部貫通孔に着目したときに、隔壁貫通孔から流込む風量の変化による圧力変動をより緩やかにすることができ、隔壁と基板部との間で生ずる騒音をいっそう小さくすることができる。
【発明を実施するための最良の形態】
【００３５】
本発明の第１の実施の形態による送風機について図１乃至図８を参照しながら説明する。図１に示されるように送風機１は、具体的にはいわゆる携帯用ブロワや集塵機と呼ばれているものであり、ユーザが手で持ち運び可能なように小型で軽量に構成されており、ケーシング１０を備え、ケーシング１０は空気を吸込むための吸込み口１１と吸込まれた空気を吹出すための吹出し口１２とを有している。また、ケーシング１０は、ユーザが手で把持するためのハンドル１３を備える。
【００３６】
ケーシング１０内には電動機２０（図４）と、後述の駆動軸２１を介して電動機２０に直結され電動機２０の駆動によって回転する遠心ファン３０とが設けられており、電動機２０は、ケーシング１０から延出する電源コード１４（図１）を介して供給される電力により駆動する。送風機１は、遠心ファン３０（図４）の回転運動による遠心力によって、吸込み口１１（図１）から吸込まれた空気を吹出し口１２から吹出すことができるように構成されている。吹出し口１２は、ケーシング１０に形成された後述の渦形室１０ｅを構成するファン収容空間１０ａから、ファン収容空間１０ａ内に収容された後述する遠心ファン３０の基板部３１の接線方向に延びるように形成される。吹出し口１２を画成するケーシングの部分には、集塵袋１６（図２）あるいはノズル１５等の付属品が取り付けられる取付け部が設けられている。吸込み口１１（図１）は、後述のように略円形状をなし、遠心ファン３０に対向する位置に遠心ファン３０と同軸的に形成される。
【００３７】
送風機１が塵芥、落葉や木片等を吹き飛ばす吹出し作業に使用されるときには、図１に示されるように、送風機１のケーシング１０の吹出し口１２にはノズル１５が取り付けられ、吸込み口１１には何も取り付けられない。ノズル１５の先端を塵芥、小さな木片等の対象物に向け、ノズル１５から圧力を高めた空気を吹出すことにより吹出し作業を行うことができる。なお、ノズル１５を吹出し口１２に取付けない状態においても吹出し口１２から吹出される空気によって吹出し作業を行うことも可能である。
【００３８】
また、図示せぬ塵芥、小さな木片等を集める吸込み作業に使用されるときには、図２又は図３に示されるように、送風機１のケーシング１０の吹出し口１２には集塵袋１６が取り付けられ、吸込み口１１には、図２に示されるようなノズル１５や、図３に示されるようなホース１７が取り付けられ、ノズル１５もしくはホース１７の先端を図示せぬ塵芥、小さな木片等の対象物に向け、対象物を吸い込み、集塵袋１６に集めることにより吸込み作業を行うことができるように構成されている。
【００３９】
ケーシング１０は分割可能な複数のセグメントからなり、図４に示されるように、そのうちの互いに対向する第１のセグメント１０Ａと第２のセグメント１０Ｂとによって、後述のように遠心ファン３０が収容されるファン収容空間１０ａが形成される。遠心ファン３０は、図１５に示される従来の遠心ファン１３０と同一形状をなしており、円盤状の基板部３１と、基板部３１の一方の面３１Ａから延出する複数の渦巻き状の羽根部３２とを有する。図４に示されるように、遠心ファン３０は、第１のセグメント１０Ａの一部を構成しファン収容空間１０ａを画成する略円形状の隔壁１０Ｃに、基板部３１の一方の面３１Ａに対する他方の面３１Ｂが近接対向して、ファン収容空間１０ａ内に収容される。遠心ファン３０の基板部３１と隔壁１０Ｃとの間の距離は略３ｍｍ程度である。
【００４０】
遠心ファン３０の基板部３１の中心位置には、圧入によって又はボルト結合等の固定装置によって駆動軸２１が固定されており、駆動軸２１は、後述のようにケーシング１０のベアリングホルダ１０Ｄに設けられたベアリング２２、２３によって回転可能に支承されている。遠心ファン３０の基板部３１には、基板部３１の周方向に沿って隣合う羽根部３２間に基板部貫通孔３１ａが形成されている。基板部貫通孔３１ａは、複数の羽根部３２が設けられている基板部３１の一方の面３１Ａ側に対する他方の面３１Ｂ側から、当該一方の面３１Ａ側へと空気を流すように構成されている。第１のセグメント１０Ａの隔壁１０Ｃの中心近傍の位置には、図５に示されるように、遠心ファン３０及び図示せぬ回転子２５を回転自在に支持するベアリング２２を保持するためのベアリングホルダ１０Ｄが設けられている。
【００４１】
第１のセグメント１０Ａに対向する位置には、図４に示されるように、第２のセグメント１０Ｂが配置され、第１のセグメント１０Ａと第２のセグメント１０Ｂとは、遠心ファン３０の軸方向に垂直な分割面１０Ｅにおいて互いに当接し接続されている。第１のセグメント１０Ａと第２のセグメント１０Ｂとが分割面１０Ｅにおいて互いに当接し接続されることによって、１つのファン収容空間１０ａが画成される。従って、ファン収容空間１０ａは、遠心ファン３０をその軸方向の両側から挟むように軸方向に垂直に配置された第１のセグメント１０Ａの隔壁１０Ｃと、隔壁１０Ｃに対向する第２のセグメント１０Ｂの壁部と、第１のセグメント１０Ａの一部と第２のセグメント１０Ｂの一部とによって構成され遠心ファン３０の基板部３１の外周に対向する位置において遠心ファン３０を取り囲む周壁１０Ｌとにより画成され、遠心ファン３０から出た空気を集めて吹出し口１２に導く渦形室１０ｅ（図５）がファン収容空間１０ａによって構成される。
【００４２】
第２のセグメント１０Ｂの遠心ファン３０に対向する位置には、図４に示されるように、前述の吸込み口１１が遠心ファン３０と同軸的に形成されている。吸込み口１１を画成する第２のセグメント１０Ｂの部分は、送風機の付属品であるノズル１５等を着脱可能に遠心ファン３０の軸方向へ筒状に突出している。吸込み口１１には、ケーシング１０内部に収納された遠心ファン３０に指等が接することを防止するためのリブ１１Ａ（図１、図４）が設けられる。
【００４３】
第１のセグメント１０Ａの、隔壁１０Ｃをはさんでファン収容空間１０ａの側とは反対の側には、図４に示されるように、第３のセグメント１０Ｆが図示せぬボルト等によって固定されて接続されている。第３のセグメント１０Ｆは一端が有底の略円筒形状をしており、遠心ファン３０と同軸的に配置され、他端をなす開口端が第１のセグメント１０Ａに接続されている。第３のセグメント１０Ｆ内部には、第３のセグメント１０Ｆの内周面によって画成される電動機収容空間１０ｂが形成されており、電動機収容空間１０ｂには、遠心ファン３０を回転運動させるための電動機２０が収容されている。隔壁１０Ｃは、ファン収容空間１０ａと電動機収容空間１０ｂとを仕切っている。
【００４４】
第１のセグメント１０Ａの隔壁１０Ｃの部分であってベアリングホルダ１０Ｄの半径方向外方の位置には、図５に示されるように、遠心ファン３０の基板部３１の回転軸を中心とする周方向に沿って、即ち、円形をした隔壁１０Ｃの軸心を中心とする周方向に沿って、隔壁貫通孔１０ｃが形成されている。隔壁貫通孔１０ｃは、周方向に沿って等間隔で１５個形成されており、遠心ファン３０の回転角度によっては遠心ファン３０の基板部貫通孔３１ａ（図４）に対向する。隣合う隔壁貫通孔１０ｃは隔壁貫通孔仕切部１０Ｇによって仕切られている。隔壁貫通孔１０ｃは、電動機収容空間１０ｂとファン収容空間１０ａとを連通する。
【００４５】
また、第１のセグメント１０Ａの隔壁１０Ｃの中心の位置には、駆動軸貫通孔１０ｄ（図５）が形成されており、遠心ファン３０の中心位置に固定された駆動軸２１（図４）が、ファン収容空間１０ａから電動機収容空間１０ｂへと貫通し、後述の電動機２０内部に延出している。駆動軸２１の一端は、電動機収容空間１０ｂを画成する第３のセグメント１０Ｆの部分に設けられたベアリング２３によって支承され、また、他端寄りの駆動軸貫通孔１０ｄの位置において、第１のセグメント１０Ａのベアリングホルダ１０Ｄに保持されているベアリング２２によって支承されている。
【００４６】
電動機２０は、図４に示されるように、固定子２４と回転子２５とを備える。固定子２４は、電動機収容空間１０ｂを画成する第３のケーシング１０の内周面に固定されている。回転子２５は、駆動軸２１上であってベアリング２２に支承されている位置とベアリング２３に支承されている位置との間の位置に固定され、駆動軸２１と一体回転可能に構成されている。
【００４７】
電動機２０の駆動により遠心ファン３０が回転運動することにより、電動機２０内部には空気が流れるが、主たる流れは、吸込み口１１から流込む空気によるものである。吸込み口１１のリブ１１Ａ間から遠心ファン３０の軸方向へ向けて流込んだ空気は、図６の矢印Ａで示されるように遠心ファン３０内部に流込み、遠心ファン３０内部で向きを略９０度変えて遠心ファン３０の半径方向略外方へと流れ、周壁１０Ｌの内周面に沿って渦形室１０ｅ内を流れ、吹出し口１２より流れ出る。
【００４８】
この主たる流れ以外にも空気の流れが生ずるように構成されている。具体的には、ケーシング１０を構成し電動機収容空間１０ｂを画成する第３のセグメント１０Ｆには、図示せぬ貫通孔が形成されており、図示せぬ貫通孔から流入した空気は、図６の矢印Ｂで示されるように、遠心ファン３０の軸方向に向けて電動機２０の固定子２４と回転子２５との間を流れて電動機２０を冷却し、隔壁貫通孔１０ｃ、遠心ファン３０の基板部貫通孔３１ａをそれぞれこの順で流れ、遠心ファン３０内部に流込み、遠心ファン３０内部で向きを略９０度変えて遠心ファン３０の半径方向略外方へと流れ、周壁１０Ｌの内周面に沿って流れ、吹出し口１２より流れ出る。
【００４９】
次に、隔壁貫通孔１０ｃの形状について図７に基づき説明する。一の隔壁貫通孔１０ｃに着目すると、一対の対向部１０Ｈ、１０Ｈが、遠心ファン３０の基板部３１の周方向、即ち、図７の左右方向において、隔壁貫通孔１０ｃの周方向長を規定している。また、一の隔壁貫通孔仕切部１０Ｇに着目すると、隣合う隔壁貫通孔１０ｃを仕切る隔壁貫通孔仕切部１０Ｇは、第１部分１０Ｉと第２部分１０Ｊとを備えており、第１部分１０Ｉは隣合う隔壁貫通孔１０ｃの一方における一対の対向部１０Ｈの一方をなし、第２部分１０Ｊは隣合う隔壁貫通孔１０ｃの他方における一対の対向部１０Ｈの他方をなす。第１部分１０Ｉと第２部分１０Ｊとは、遠心ファン対向面１０Ｋの位置において交差する。
【００５０】
このため、各隔壁貫通孔１０ｃは、遠心ファン３０の基板部３１の周方向、即ち、図７の左右方向における隔壁貫通孔１０ｃの周方向長が、電動機収容空間１０ｂに開口する開口端１０ｅから隔壁貫通孔１０ｃのファン収容空間１０ａに開口する開口端１０ｆに至るまでの隔壁貫通孔１０ｃ全体に渡って、電動機収容空間１０ｂからファン収容空間１０ａへ向かうにつれて徐々に大きくなっている。隔壁貫通孔１０ｃの全体は周方向長増加部に相当する。
【００５１】
図７に示されるように、一対の対向面は、電動機収容空間１０ｂからファン収容空間１０ａへ向かう方向において連続した直線状をなしている。遠心ファン３０の軸方向、即ち、図７の上下方向と対向面とのなす角α（図７）は１０度〜３０度である。電動機収容室内で電動機２０を冷却した空気は、図７の矢印Ｂで示されるように、隔壁貫通孔１０ｃに流込み、一対の対向面に沿って隔壁貫通孔１０ｃ内を流れ、遠心ファン３０の基板部貫通孔３１ａ内に流込むように構成されている。
【００５２】
遠心ファン３０の軸方向と対向面とのなす角α（図７）を１０度〜３０度としたため、流れ剥離、即ち隔壁貫通孔１０ｃを通る空気が隔壁貫通孔仕切部１０Ｇに沿わずに流れる現象が起きにくくなり、渦がほとんど発生しないようにすることができる。特に、なす角αを２３度に設定することで、最も渦が発生しにくい状態とすることができる。
【００５３】
ここで、第１の実施の形態による送風機１と従来の送風機１０１との効果を比較するための試験の結果に基づき、隔壁貫通孔１０ｃから遠心ファン３０の基板部貫通孔３１ａへと流込む空気の流れについて説明する。遠心ファン３０が回転している各時点における遠心ファン３０の基板部貫通孔３１ａと、隔壁貫通孔１０ｃとの位置関係、及び試験結果は図８に示されるとおりである。なお、図８（ａ）〜図８（ｄ）、図８（ｆ）〜図８（ｉ）においては、隔壁貫通孔１０ｃから基板部貫通孔３１ａへと流れる空気の流れを、矢印Ｂ′、Ｂでそれぞれ示している。
【００５４】
遠心ファン３０の一の基板部貫通孔３１ａに着目すると、図８に示されるように、遠心ファン３０が回転して、図８（ａ）に示される状態から図８（ｄ）に示される状態へと変化していくときに、図８（ｂ）に示される状態を経る。このときには、図８（ｅ）のグラフに示されるように、風量が急激に低下し、急激な圧力変化が生じ、図８（ｃ）に示される状態となったときに既に、風量が最も低い値となっていることが分かる。
【００５５】
これに対して、第１の実施の形態による送風機１では、遠心ファン３０が回転して、図８（ｆ）に示される状態から図８（ｉ）に示される状態と変化していくときに、図８（ｇ）に示される状態を経る。このときには、図８（ｅ）のグラフに示されるように、風量は、図８（ｆ）に示される状態のときからほとんど減少しておらず、緩やかに減少している。そして、そのまま緩やかに減少し続け、図８（ｈ）に示される状態となったときには、まだ風量が最も低い値となっておらず、かなりの量で流れている。そして、その後更に緩やかに減少し、風量が最も低い値となり、図８（ｉ）に示される状態となることが分かる。
【００５６】
隔壁貫通孔１０ｃの周方向長が、電動機収容空間１０ｂからファン収容空間１０ａへ向かうにつれて徐々に大きくなっているため、隔壁貫通孔１０ｃの下流側、即ち、隔壁貫通孔１０ｃの遠心ファン対向面１０Ｋ近傍の位置では、一様な流速分布となる。このため、隔壁貫通孔１０ｃと基板部貫通孔３１ａとの間の位置における空気の急激な圧力変動を防止することができ、圧力変動を緩やかにすることができる。また、隔壁貫通孔１０ｃから流出した空気の一部による、隔壁貫通孔１０ｃの近傍の位置における渦を発生しにくくすることができる。このため、騒音の発生を飛躍的に抑えることができる。
【００５７】
また、隔壁貫通孔１０ｃのファン収容空間１０ａに開口する開口端１０ｆから電動機収容空間１０ｂに開口する開口端１０ｅに至るまでの隔壁貫通孔１０ｃ全体が周方向長増加部をなすため、隔壁貫通孔１０ｃと基板部貫通孔３１ａとの間の位置における空気の圧力変動をより緩やかにすることができる。また、隔壁貫通孔１０ｃから流出した空気の一部による、隔壁貫通孔１０ｃの近傍の位置における渦の発生を、効果的に抑えることができる。
【００５８】
また、隔壁貫通孔１０ｃの内周面の一部であって隔壁貫通孔１０ｃの周方向長を規定する部分は、一対の対向部１０Ｈ、１０Ｈをなしており、電動機収容空間１０ｂからファン収容空間１０ａへ向かう方向において連続した直線状をなしているため、隔壁貫通孔１０ｃと基板部貫通孔３１ａとの間の位置における空気の圧力変動をより緩やかにすることができる。また、隔壁貫通孔１０ｃから流出した空気の一部による、隔壁貫通孔１０ｃの近傍の位置における渦の発生を、より効果的に抑えることができる。
【００５９】
次に、本発明の第２の実施の形態による送風機について図９を参照しながら説明する。第１の実施の形態による送風機１では、隔壁貫通孔１０ｃのファン収容空間１０ａに開口する開口端１０ｆから電動機収容空間１０ｂに開口する開口端１０ｅに至るまでの隔壁貫通孔１０ｃ全体が周方向長増加部をなしていたが、図９に示されるように、第２の実施の形態による送風機では、周方向長増加部４０ｇは、隔壁貫通孔４０ｃのファン収容空間４０ａに開口する側に形成され、周方向長増加部４０ｇ以外の電動機収容空間４０ｂに開口する側の隔壁貫通孔４０ｃの部分は、隔壁貫通孔４０ｃの周方向長が一定の周方向長一定部４０ｈをなしており、この点のみにおいて第１の実施の形態による送風機１とは異なる。周方向長増加部４０ｇと周方向長一定部４０ｈとは、図１０に示されるように、これらが互いに接続される接続位置においては、所定の角度αをなして接続されている。
【００６０】
このような構成とすることにより、従来の送風機１０１の隔壁貫通孔１１０ｃの形状の一部を修正することで、隔壁貫通孔４０ｃと基板部貫通孔３１ａとの間の位置における空気の急激な圧力変動を防止することができ、圧力変動を緩やかにすることができる。このため、従来の送風機１０１の製造装置を一部改良することで、簡単に本実施の形態による送風機を製造することができる。
【００６１】
次に、本発明の第３の実施の形態による送風機について図１０を参照しながら説明する。第２の実施の形態による送風機では、周方向長増加部４０ｇと周方向長一定部４０ｈとは、所定の角度αをなして接続されていたが、図１０に示されるように、第３の実施の形態による送風機では、円弧の一部によりなめらかに接続されている点のみにおいて第２の実施の形態とは異なる。
【００６２】
周方向長一定部５０ｈにおいて隔壁貫通孔５０ｃの周方向長を規定する一対の対向部５０Ｈと、周方向長増加部５０ｇにおいて隔壁貫通孔５０ｃの周方向長を規定する一対の対向部５０Ｈとは、図１０に示されるように、それぞれ所定の値の半径を有する円弧５０Ｍの一部によりなめらかに接続されている。このため、周方向長一定部と周方向長増加部との当該接続位置において空気をなめらかに流すことができる。
【００６３】
次に、本発明の第４の実施の形態による送風機について図１１を参照しながら説明する。第１の実施の形態による送風機では、第１部分１０Ｉと第２部分１０Ｊとは、遠心ファン対向面１０Ｋの位置において互いに交差していたが、図１１に示されるように、第４の実施の形態による送風機では、遠心ファン対向面６０Ｋの位置において互い交差しておらず、遠心ファン対向面６０Ｋと第１部分６０Ｉとの交差位置６０Ｎと、遠心ファン対向面６０Ｋと第２部分６０Ｊとの交差位置６０Ｐとの間は、所定の距離が設けられている。このような構成とすることにより、隔壁貫通孔仕切部１０Ｇの先端部、即ち隔壁貫通孔仕切部１０Ｇの交差位置６０Ｎ、交差位置６０Ｐの周辺部分の強度を向上させることができる。
【００６４】
次に、本発明の第５の実施の形態による送風機について図１２を参照しながら説明する。第４の実施の形態による送風機では、隔壁貫通孔６０ｃのファン収容空間６０ａに開口する開口端から電動機収容空間６０ｂに開口する開口端に至るまでの隔壁貫通孔６０ｃ全体が周方向長増加部をなしていたが、図１２に示されるように、第５の実施の形態による送風機では、周方向長増加部７０ｇは、隔壁貫通孔７０ｃのファン収容空間７０ａに開口する側に形成され、周方向長増加部７０ｇ以外の電動機収容空間７０ｂに開口する側の隔壁貫通孔７０ｃの部分は、隔壁貫通孔７０ｃの周方向長が一定の周方向長一定部７０ｈをなしている。
【００６５】
また、第１部分７０Ｉと第２部分７０Ｊとが、それぞれ略同一の角度で遠心ファン対向面７０Ｋと交差し、第１部分７０Ｉと第２部分７０Ｊとのなす角をβとし、遠心ファン３０の基板部３１の他方の面３１Ｂと隔壁７０Ｃとの間の距離をｈとし、遠心ファン対向面７０Ｋと第１部分７０Ｉとの交差位置と、遠心ファン対向面７０Ｋと第２部分７０Ｊとの交差位置との間の距離をｅとしたときに、
ｈ＞（ｅ／２）／ｔａｎ（β／２）
の関係を有している。これら以外の構成については、第４の実施の形態と同一である。
【００６６】
このような構成としたため、遠心ファン３０の一の基板部貫通孔３１ａに着目すると、隔壁貫通孔７０ｃから流込む風量の変化による圧力変動を緩やかにすることができ、隔壁７０Ｃと基板部３１との間で生ずる騒音を小さくすることができる。
【００６７】
次に、本発明の第６の実施の形態による送風機について図１３を参照しながら説明する。第１の実施の形態による送風機１では、隔壁貫通孔１０ｃのファン収容空間１０ａに開口する開口端１０ｆから電動機収容空間１０ｂに開口する開口端１０ｅに至るまでの隔壁貫通孔１０ｃ全体が周方向長増加部をなしていたが、図１３に示されるように、第６の実施の形態による送風機では、隔壁貫通孔８０ｃは周方向増加部を有していない。
【００６８】
図１３に示されるように、第１部分８０Ｉと第２部分８０Ｊとは平行をなしており、遠心ファン３０の基板部３１の周方向、即ち、図１３の左右方向における隔壁貫通孔８０ｃの周方向長は一定である。他方の面３１Ｂ上における基板部貫通孔３１ａの周方向の長さをａとし、遠心ファン対向面８０Ｋと第１部分８０Ｉとの交差位置と、遠心ファン対向面８０Ｋと第２部分８０Ｊとの交差位置との距離をｂとしたときに、
ａ＞ｂ
の関係を有している。
【００６９】
このような構成としたため、遠心ファン３０の一の基板部貫通孔３１ａに着目すると、一の基板部貫通孔３１ａに常にいずれかの隔壁貫通孔８０ｃから空気が流れ込むようにすることができ、隔壁貫通孔８０ｃから流込む風量の変化による圧力変動を緩やかにすることができ、隔壁８０Ｃと基板部３１との間で生ずる騒音を小さくすることができる。
【００７０】
更に、遠心ファン対向面８０Ｋ上における隔壁貫通孔８０ｃの周方向における長さをｃとしたときに、
ｃ＞ａ
の関係を有している。
【００７１】
このような構成としたため、遠心ファン３０の一の基板部貫通孔３１ａに隔壁貫通孔８０ｃから流込む風量の変化による圧力変動をより緩やかにすることができ、隔壁８０Ｃと基板部３１との間で生ずる騒音をいっそう小さくすることができる。
【００７２】
本発明による送風機は、上述した実施の形態に限定されず、特許請求の範囲に記載した範囲で種々の変形や改良が可能である。例えば、本実施の形態による隔壁貫通孔１０ｃは１８個形成されていたが、これに限定されず、７個〜２０個の範囲内であれば、いくつであってもよい。この範囲内とすることにより、図示せぬベアリングホルダを構成ケーシングの部分の強度と隔壁貫通孔の開口面積とのバランスが良くなり、特に、隔壁貫通孔を１５個形成することで、図示せぬベアリングホルダを構成するケーシングの部分について最も高い強度を確保することができるとともに十分な隔壁貫通孔の開口面積を確保することができる。
【００７３】
また、送風機１は、遠心ファン３０の回転によって吸込み口１１から空気を吸込んでいたが、空気に代えて、他の種類の気体を吸込むようにしてもよい。
【００７４】
また、第５の実施の形態による送風機では、周方向長増加部７０ｇは、隔壁貫通孔７０ｃのファン収容空間７０ａに開口する側に形成され、周方向長増加部７０ｇ以外の電動機収容空間７０ｂに開口する側の隔壁貫通孔７０ｃの部分は、隔壁貫通孔７０ｃの周方向長が一定の周方向長一定部７０ｈをなしていたが、周方向長一定部を有していない構成とし、隔壁貫通孔のファン収容空間に開口する開口端から電動機収容空間に開口する開口端に至るまでの隔壁貫通孔全体が周方向長増加部をなしていてもよい。この場合であっても、ｈ、ｅ、βの間の間には、
ｈ＞（ｅ／２）／ｔａｎ（β／２）
の関係が成り立つようにすればよい。
【産業上の利用可能性】
【００７５】
本発明は、電動機により回転運動する遠心ファンを備え、遠心ファンの回転により空気の吸込みや吹出しを行う送風機の分野であって、送風機の動作中の騒音のより少ないことが要求される分野において極めて有用である。
【図面の簡単な説明】
【００７６】
【図１】本発明の第１の実施の形態による送風機を示す側面部分断面図。
【図２】本発明の第１の実施の形態による送風機の吸込み口にノズルを取付け、吹出し口に集塵袋を取付けた状態を示す平面図。
【図３】本発明の第１の実施の形態による送風機の吸込み口にホースを取付け、吹出し口に集塵袋を取付けた状態を示す平面図。
【図４】本発明の第１の実施の形態による送風機を示す平面部分断面図。
【図５】本発明の第１の実施の形態による送風機のファン収容空間を画成しケーシングを構成する第１のセグメントを示す側面図。
【図６】本発明の第１の実施の形態による送風機内部の空気の流れを示す平面部分断面図。
【図７】本発明の第１の実施の形態による送風機内部の隔壁と遠心ファンの基板部とを示す要部展開断面図。
【図８】本発明の第１の実施の形態による送風機における空気の流れと従来の送風機における空気の流れとを比較する図であり、（ａ）〜（ｄ）は従来の送風機の遠心ファンが回転している様子を示し、（ｆ）〜（ｉ）は第１の実施の形態による送風機の遠心ファンが回転している様子を示し、（ｅ）は時間の経過に伴い遠心ファンが回転しているときの、一の隔壁貫通孔から一の基板部貫通孔へ流入する風量を示す。
【図９】本発明の第２の実施の形態による送風機内部の隔壁と遠心ファンの基板部とを示す要部展開断面図。
【図１０】本発明の第３の実施の形態による送風機内部の隔壁と遠心ファンの基板部とを示す要部展開断面図。
【図１１】本発明の第４の実施の形態による送風機内部の隔壁と遠心ファンの基板部とを示す要部展開断面図。
【図１２】本発明の第５の実施の形態による送風機内部の隔壁と遠心ファンの基板部とを示す要部展開断面図。
【図１３】本発明の第６の実施の形態による送風機内部の隔壁と遠心ファンの基板部とを示す要部展開断面図。
【図１４】従来の送風機のファン収容空間を画成しケーシングを構成する第１のセグメントを示す側面図。
【図１５】従来の送風機の遠心ファンを示す斜視図。
【図１６】従来の送風機内部の隔壁と遠心ファンの基板部とを示す要部展開断面図。
【図１７】従来の送風機内部の隔壁と遠心ファンの基板部とを示す要部展開断面図。
【図１８】従来の送風機内部の隔壁と遠心ファンの基板部とを示す要部展開断面図。
【図１９】従来の送風機内部の隔壁と遠心ファンの基板部とを示す要部展開断面図。
【符号の説明】
【００７７】
１・・・送風機  １０・・・ケーシング  １０Ｃ、７０Ｃ、８０Ｃ・・・隔壁  １０Ｇ・・・隔壁貫通孔仕切部  １０Ｈ、５０Ｈ・・・対向部  １０Ｉ、６０Ｉ、７０Ｉ、８０Ｉ・・・第１部分  １０Ｊ、６０Ｊ、７０Ｊ、８０Ｊ・・・第２部分  １０Ｋ、６０Ｋ、７０Ｋ、８０Ｋ・・・遠心ファン対向面  １０ａ、４０ａ、６０ａ、７０ａ・・・ファン収容空間  １０ｂ、４０ｂ、６０ｂ、７０ｂ・・・電動機収容空間  １０ｃ、４０ｃ、５０ｃ、６０ｃ、７０ｃ、８０ｃ・・・隔壁貫通孔  １１・・・吸込み口  １２・・・吹出し口  ２０・・・電動機  ３０・・・遠心ファン  ３１・・・基板部  ３２・・・羽根部  ３１Ａ・・・一方の面  ３１Ｂ・・・他方の面  ３１ａ・・・基板部貫通孔  ４０ｇ、５０ｇ・・・周方向長増加部  ４０ｈ、５０ｈ・・・周方向長一定部  ５０Ｍ・・・円弧  ６０Ｎ、６０Ｐ・・・交差位置  
【図１】
2005220751.tif 000003
【図２】
2005220751.tif 000004
【図３】
2005220751.tif 000005
【図４】
2005220751.tif 000006
【図５】
2005220751.tif 000007
【図６】
2005220751.tif 000008
【図７】
2005220751.tif 000009
【図８】
2005220751.tif 000010
【図９】
2005220751.tif 000011
【図１０】
2005220751.tif 000012
【図１１】
2005220751.tif 000013
【図１２】
2005220751.tif 000014
【図１３】
2005220751.tif 000015
【図１４】
2005220751.tif 000016
【図１５】
2005220751.tif 000017
【図１６】
2005220751.tif 000018
【図１７】
2005220751.tif 000019
【図１８】
2005220751.tif 000020
【図１９】
2005220751.tif 000021